(57)【要約】【課題】加硫機の全高さ方向寸法が国内輸送や輸出梱包の制限寸法を超えるような場合でも、その制限を簡易にクリアして加硫機を輸送・梱包することができるタイヤ加硫機およびその輸送・梱包方法を提供することを目的とする。【解決手段】ベースプレートから上方に延長され、タイヤ加硫時、ボルスタプレートおよび上金型にかかる加圧反力を受けるとともに、上金型開閉時にボルスタプレートおよび上金型の昇降をガイドするタイロッド８Ａ，８Ｂを備えているタイヤ加硫機において、タイロッド８Ａ，８Ｂは、その長さ方向位置で上下に少なくとも２分割以上に分割可能な構成とされている。【選択図】図２
2012176541.tif 000002
【特許請求の範囲】
【請求項１】
ベースプレートから上方に延長され、タイヤ加硫時、ボルスタプレートおよび上金型にかかる加圧反力を受けるとともに、上金型開閉時に前記ボルスタプレートおよび前記上金型の昇降をガイドするタイロッドを備えているタイヤ加硫機において、
前記タイロッドは、その長さ方向位置で上下に少なくとも２分割以上に分割可能な構成とされていることを特徴とするタイヤ加硫機。
【請求項２】
前記分割位置は、タイヤ加硫時の前記加圧反力を分担する部分と、前記ボルスタプレートおよび前記上金型等が昇降する時のガイド機能のみを分担する部分の間とされていることを特徴とする請求項１に記載のタイヤ加硫機。
【請求項３】
少なくとも２分割以上に分割された前記タイロッド（Ａ）およびタイロッド（Ｂ）は、互いに嵌合されていることを特徴とする請求項１または２に記載のタイヤ加硫機。
【請求項４】
前記嵌合部は、前記タイロッド（Ａ）またはタイロッド（Ｂ）のいずれか一方の端部外周に切欠き部を設けて形成された座面を介して互いにボルト等の締結部品により締結されていることを特徴とする請求項３に記載のタイヤ加硫機。
【請求項５】
前記嵌合部は、その凹部および凸部の先端に設けられた雌ネジおよび雄ネジを介して互いにネジ締結されていることを特徴とする請求項３に記載のタイヤ加硫機。
【請求項６】
前記嵌合部の凸部および凹部は、それぞれ結合面がテーパー面とされていることを特徴とする請求項３ないし５のいずれかに記載のタイヤ加硫機。
【請求項７】
少なくとも２分割以上に分割された前記タイロッドは、タイヤ加硫時の前記加圧反力を分担するタイロッド側の外径をＤ１、前記ボルスタプレートおよび前記上金型が昇降時の前記ガイド機能のみを分担するタイロッド側の外径をＤ２としたとき、互いの連結時において、Ｄ１＞Ｄ２とされていることを特徴とする請求項１ないし６のいずれかに記載のタイヤ加硫機。
【請求項８】
請求項１ないし７のいずれかに記載のタイヤ加硫機を輸送または梱包するタイヤ加硫機の輸送・梱包方法において、
前記ボルスタプレートおよび前記上金型等を上金型全閉位置となし、少なくとも上下に２分割以上に分割された前記タイロッドの上方部分のみを取り外した状態として、輸送または梱包することを特徴とするタイヤ加硫機の輸送・梱包方法。
【発明の詳細な説明】
【技術分野】
【０００１】
本発明は、タイロッドを介して、タイヤ加硫時の加圧反力を受けるとともに、ボルスタプレートおよび上金型の昇降をガイドするタイヤ加硫機およびその輸送・梱包方法に関するものである。
【背景技術】
【０００２】
生タイヤ（グリーンタイヤ）を加硫して製品タイヤとするタイヤ加硫機において、ベースプレートから上方に延設され、タイヤ加硫時に、ボルスタプレートおよび上金型にかかる加圧反力を分担するとともに、上金型開閉時に、ボルスタプレートおよび上金型の昇降をガイドする一対のタイロッド（コラム）を備えた、コラム型と称されているタイヤ加硫機が知られている（例えば、特許文献１参照）。
【０００３】
上記タイロッドは、生タイヤを加硫する時、ボルスタプレートおよび上金型を上金型全閉位置にロックし、タイヤ加硫時の加圧反力を受ける機能を担うため、強度部材とされている。また、加硫が終了し、加硫済みタイヤを取り出す上金型開時に、ボルスタプレートおよび上金型を上金型全開位置まで上昇させるガイドを兼ねていることから、そのストロークに見合った長さを持つ長尺のロッドとされている。
【先行技術文献】
【特許文献】
【０００４】
【特許文献１】特開２００８−２２１５５４号公報
【発明の概要】
【発明が解決しようとする課題】
【０００５】
上記のようなタイヤ加硫機において、一対のタイロッドは、それぞれ長尺の強度部材とされた１本もののロッドとされていることから、タイヤ加硫機の大きさによっては、ベースプレート上にタイロッドを立設した最終組み立て状態において、加硫機全体の上下方向寸法（全高さ方向寸法）が、非常に高くなってしまう場合がある。
【０００６】
このため、工場で折角組み立て調整しても、加硫機の全高さ方向寸法が、国内輸送あるいは輸出梱包の制限寸法を超えてしまい、そのままでは出荷できないことがあった。このような場合、タイヤ加硫機の主要部分であるタイロッド、ベースプレート、ボトムプレートおよびボルスタプレート等を解体してタイヤ製造工場に搬送した後、現地において再組立てし、芯だし調整等を行うようにしているが、余計な作業の発生により費用が嵩む等の課題があった。
【０００７】
本発明は、このような事情に鑑みてなされたものであって、加硫機の全高さ方向寸法が国内輸送や輸出梱包の制限寸法を超えるような場合でも、その制限を簡易にクリアして加硫機を輸送・梱包することができるタイヤ加硫機およびその輸送・梱包方法を提供することを目的とする。
【課題を解決するための手段】
【０００８】
上記した課題を解決するために、本発明のタイヤ加硫機およびその輸送・梱包方法は以下の手段を採用する。
すなわち、本発明にかかるタイヤ加硫機は、ベースプレートから上方に延長され、タイヤ加硫時、ボルスタプレートおよび上金型にかかる加圧反力を受けるとともに、上金型開時に前記ボルスタプレートおよび前記上金型の昇降をガイドするタイロッドを備えているタイヤ加硫機において、前記タイロッドは、その長さ方向位置で上下に少なくとも２分割以上に分割可能な構成とされていることを特徴とする。
【０００９】
本発明によれば、上下方向に長尺寸法とされているタイロッドが、その長さ方向位置で上下に少なくとも２分割以上に分割可能な構成とされているため、加硫機の上下方向寸法が高く、輸送あるいは梱包するに当たり、国内輸送や輸出梱包の制限寸法を超えてしまうような場合でも、上下に少なくとも２分割以上に分割されているタイロッドの上方部分のみを取り外すことにより、簡単にかかる制限寸法をクリアすることができる。従って、加硫機の輸送・梱包に当たり、タイロッド、ベースプレート、ボトムプレート、ボルスタプレート等を解体することなく、輸送あるいは梱包することが可能となる。また、搬送先での再組立てや調整作業が不要となり、それに要する費用等を省くことができるとともに、高さに制限がある建屋等に対する加硫機の搬入をも容易化することができる。更に、分割されたタイロッドの個々の長さが短くなることから、それぞれの加工を容易化することができる。
【００１０】
さらに、本発明のタイヤ加硫機は、上記のタイヤ加硫機において、前記分割位置は、タイヤ加硫時の前記加圧反力を分担する部分と、前記ボルスタプレートおよび前記上金型等が昇降する時のガイド機能のみを分担する部分の間とされていることを特徴とする。
【００１１】
本発明によれば、分割されるタイロッドの分割位置が、タイヤ加硫時の加圧反力を分担する部分と、ボルスタプレートおよび上金型等が昇降する時のガイド機能のみを分担する部分の間とされているため、タイロッドを長さ方向位置で上下に分割しても、加硫時の加圧反力を分担する部分の強度に対して全く影響を与えることはなく、タイロッドとして必要な強度を確保することができる。従って、分割構造のタイロッドでありながら、必要な強度を十分に確保し、タイヤ加硫時の精度を維持することができる。
【００１２】
さらに、本発明のタイヤ加硫機は、上述のいずれかのタイヤ加硫機において、少なくとも２分割以上に分割された前記タイロッド（Ａ）およびタイロッド（Ｂ）は、互いに嵌合されていることを特徴とする。
【００１３】
本発明によれば、少なくとも２分割以上に分割されたタイロッド（Ａ）およびタイロッド（Ｂ）が、互いに嵌合されているため、分割されたタイロッド（Ａ）およびタイロッド（Ｂ）を連結して一体化する際、その芯だしおよび強度を容易に再現することができる。従って、タイロッド上をスライドして昇降される昇降ガイド部を円滑にガイドすることができる。
【００１４】
さらに、本発明のタイヤ加硫機は、上記のタイヤ加硫機において、前記嵌合部は、前記タイロッド（Ａ）またはタイロッド（Ｂ）のいずれか一方の端部外周に切欠き部を設けて形成された座面を介して互いにボルト等の締結部品によって結合されていることを特徴とする。
【００１５】
本発明によれば、嵌合部が、タイロッド（Ａ）またはタイロッド（Ｂ）のいずれか一方の端部外周に切欠き部を設けて形成された座面を介して互いにボルト等の締結部品によって結合されているため、分割されたタイロッド（Ａ）およびタイロッド（Ｂ）を互いに嵌合した上で、ボルト等の締結部品を介して強固に連結することができ、しかもボルト等の締結部品は切欠き部により形成された座面にて締結されることから、ボルト等の締結部品が昇降ガイド部等の昇降を阻害することもない。従って、タイロッドとして必要な強度を十分確保することができるとともに、昇降ガイド部を円滑にガイドすることができる。
【００１６】
さらに、本発明のタイヤ加硫機は、上記のタイヤ加硫機において、前記嵌合部は、その凸部および凹部の先端に設けられた雄ネジおよび雌ネジを介して互いにネジ締結されていることを特徴とする。
【００１７】
本発明によれば、嵌合部が、その凸部および凹部の先端に設けられた雄ネジおよび雌ネジを介して互いにネジ締結されているため、分割されたタイロッド（Ａ）およびタイロッド（Ｂ）を互いに嵌合した上で、嵌合される凸部および凹部の先端に設けられている雄ネジおよび雌ネジを介して、互いを強固にネジ締結することができる。しかも、そのネジ締結部がタイロッド内部に位置されることから、昇降ガイド部等の昇降に及ぼす影響を皆無とすることができる。従って、タイロッドとして必要な強度を十分確保することができるとともに、昇降ガイド部を円滑にガイドすることができる。
【００１８】
さらに、本発明のタイヤ加硫機は、上述のいずれかのタイヤ加硫機において、前記嵌合部の凸部および凹部は、それぞれ結合面がテーパー面とされていることを特徴とする。
【００１９】
本発明によれば、嵌合部の凸部および凹部の結合面が、それぞれテーパー面とされているため、分割されたタイロッド（Ａ）およびタイロッド（Ｂ）を互いに嵌合する際の芯だし精度を高めることができる。従って、分割構造のタイロッドでありながら、一体物のタイロッドと遜色のない精度を確保し、昇降ガイド部を円滑にガイドすることができる。
【００２０】
さらに、本発明のタイヤ加硫機は、上述のいずれかのタイヤ加硫機において、少なくとも２分割以上に分割された前記タイロッドは、タイヤ加硫時の前記加圧反力を分担するタイロッド側の外径をＤ１、前記ボルスタプレートおよび前記上金型が昇降時の前記ガイド機能のみを分担するタイロッド側の外径をＤ２としたとき、互いの連結時において、Ｄ１＞Ｄ２とされていることを特徴とする。
【００２１】
本発明によれば、少なくとも２分割以上に分割されたタイロッドが、タイヤ加硫時の加圧反力を分担するタイロッド側の外径をＤ１、ボルスタプレートおよび上金型が昇降時のガイド機能のみを分担するタイロッド側の外径をＤ２としたとき、互いの連結時において、Ｄ１＞Ｄ２とされているため、少なくとも２分割されたタイロッドを連結して１本化したとき、常に加圧反力を分担するタイロッド側の外径内に、ガイド機能のみを分担するタイロッド側の外径が納まるようになる。従って、分割されたタイロッドを一体化した上で同時加工することによって、芯だし調整する等の作業を不要化し、加工を容易化することができる。
【００２２】
さらに、本発明にかかるタイヤ加硫機の輸送・梱包方法は、上述のいずれかのタイヤ加硫機を輸送または梱包するタイヤ加硫機の輸送・梱包方法において、前記ボルスタプレートおよび前記上金型等を上金型全閉位置となし、少なくとも上下に分割された前記タイロッドの上方部分のみを取り外した状態として、輸送または梱包することを特徴とする。
【００２３】
本発明によれば、ボルスタプレートおよび上金型等を上金型全閉位置となし、少なくとも上下に分割されたタイロッドの上方部分のみを取り外した状態として、輸送または梱包することができるため、最終組み立てした状態で加硫機の全高さ方向寸法が、国内輸送や輸出梱包の制限寸法を超えてしまう場合でも、ボルスタプレートおよび上金型等を上金型全閉位置とし、上下に分割されているタイロッドの上方部分のみを取り外すことにより、かかる制限寸法をクリアすることができる。従って、タイロッドの上方部分のみを取り外す簡易な処置によって、加硫機をそのまま輸送または梱包することが可能となり、余計な作業や費用を省くことができる。
【発明の効果】
【００２４】
本発明のタイヤ加硫機によると、加硫機の上下方向寸法が高く、輸送あるいは梱包するに当たり、国内輸送や輸出梱包の制限寸法を超えてしまうような場合でも、上下に少なくとも２分割以上に分割されているタイロッドの上方部分のみを取り外すことによって、簡単にかかる制限寸法をクリアすることができるため、加硫機の輸送・梱包に当たり、タイロッド、ベースプレート、ボトムプレート、ボルスタプレート等を解体することなく、輸送あるいは梱包することが可能となる。また、搬送先での再組立てや調整作業が不要となり、それに要する費用等を省くことができるとともに、高さに制限がある建屋等に対する加硫機の搬入をも容易化することができる。更に、分割されたタイロッドの個々の長さが短くなることから、それぞれの加工を容易化することができる。
【００２５】
本発明のタイヤ加硫機の輸送・梱包方法によると、最終組み立てした状態で加硫機の全高さ方向寸法が、国内輸送や輸出梱包の制限寸法を超えてしまう場合でも、ボルスタプレートおよび上金型等を上金型全閉位置とし、上下に分割されているタイロッドの上方部分のみを取り外すことにより、かかる制限寸法をクリアすることができるため、タイロッドの上方部分のみを取り外す簡易な処置によって、加硫機をそのまま輸送または梱包することが可能となり、余計な作業や費用を省くことができる。
【図面の簡単な説明】
【００２６】
【図１】本発明の第１実施形態に係るタイヤ加硫機の正面視図である。
【図２】図１に示すタイヤ加硫機のタイロッドの構成図で、（Ａ）図は、分割した状態の正面視図、（Ｂ）図は、（Ａ）図のＡ−Ａ断面相当図、（Ｃ）図は、（Ａ）図のＢ−Ｂ断面相当図、（Ｄ）図は、分割したタイロッドの連結状態の正面視図、（Ｅ）図は、（Ｄ）図の平面視図である。
【図３】本発明の第２実施形態に係るタイロッドの構成図で、（Ａ）図は、分割した状態の正面視図、（Ｂ）図は、分割したタイロッドの連結状態の正面視図である。
【図４】本発明の第３実施形態に係るタイロッドの構成図で、（Ａ）図は、分割した状態の正面視図、（Ｂ）図は、分割したタイロッドの連結状態の正面視図である。
【発明を実施するための形態】
【００２７】
以下に、本発明にかかる実施形態について、図面を参照して説明する。
［第１実施形態］
以下、本発明の第１実施形態について、図１および図２を用いて説明する。
図１には、本発明の第１実施形態に係るタイヤ加硫機の正面視図が示され、図２には、そのタイロッドの構成図が示されている。
タイヤ加硫機１は、水平方向に配置されるベースプレート２を備えている。このベースプレート２は、タイヤ製造工場のタイヤ加硫機１を据付けるピットＰ内に、複数本の支柱３を介して水平に支持されるようになっている。
【００２８】
ベースプレート２上には、左右一対のタイヤ加硫機構３Ａ，３Ｂが、各々独立して作動可能に設置されている。左右一対のタイヤ加硫機構３Ａ，３Ｂは、同一構成とされているため、以下においては、一方のタイヤ加硫機構３Ａの構成のみを説明し、他方のタイヤ加硫機構３Ｂの構成は、Ｂが添え字された符号のみを付して説明は省略する。
タイヤ加硫機構３Ａは、下金型（図示省略）が取付けられるボトムプレート４Ａを備えており、該ボトムプレート４Ａは、ベースプレート２上に、複数本の昇降ネジ５Ａおよび該昇降ネジ５Ａの上端部に設けられた加圧シリンダ６Ａを介して、高さ調整と型締めができるように、昇降可能に支持されている。
【００２９】
ボトムプレート４Ａの中心部には、生タイヤをシェーピング（整形）および加硫するときに、タイヤの内方に挿入されるブラダと称されるゴム袋の挿入、取出しを操作する中心機構７Ａが組み付けられている。中心機構７Ａは、ベースプレート２を貫通して下方に延長されており、ボトムプレート４Ａと共に昇降可能とされている。
【００３０】
ベースプレート２上には、対角位置に一対のタイロッド（コラムとも称される）８Ａが上方に延長されて立設されている。このタイロッド（コラム）８Ａは、ボルスタプレート９Ａおよび上金型（図示省略）を、上金型全閉位置と上金型全開位置との間において、上下方向に昇降するガイドとなるものであり、また、タイヤ加硫時には、ボルスタプレート９Ａおよび上金型を上金型全閉位置にロックし、それに作用する加圧反力を受けるためのものである。
【００３１】
ボルスタプレート９Ａは、上金型（図示省略）が取付けられるもので、一対のタイロッド８Ａに対して、昇降ガイド部１０Ａを介して上下方向に昇降可能に組み付けられ、ベースプレート２との間に介装されている昇降シリンダ１１Ａを介して昇降されるようになっている。また、ボルスタプレート９Ａの昇降ガイド部１０Ａには、タイロッド８Ａに設けられている括れ部１２Ａに係合し、ボルスタプレート９Ａおよび上金型を上金型全閉位置にロックするロック装置１３Ａが設けられている。
【００３２】
上記タイヤ加硫機構３Ａに対して、タイヤ加硫機１の正面側には、上下の金型間に生タイヤを搬入するためのタイヤローダ機構１４Ａが、上下方向に昇降自在に、かつ水平面内において生タイヤを受け渡しする位置との間を回動自在に設置されている。また、タイヤローダ機構１４Ａの反対側面には、タイヤ加硫機構３Ａで加硫された加硫済みタイヤを金型間から取出し、それをコンベア上に搬出するタイヤアンローダ機構１５Ａが、上下方向に昇降自在で、かつ水平面内においてタイヤを受け渡しする位置との間を回動自在に設置されている。
【００３３】
以上のタイヤ加硫機１において、タイロッド８Ａ，８Ｂ以外は、公知のものである。以下に、本発明の特徴部分であるタイロッド８Ａ，８Ｂの構成について、図２を参照して詳しく説明する。
タイロッド８Ａ，８Ｂは、上記の如く、ボルスタプレート９Ａ，９Ｂおよび上金型（図示省略）が、上金型全閉位置と上金型全開位置との間において上下方向に昇降される際のガイドとなるものであるため、上下方向に長尺のロッドとなり、最終組み立て状態において、タイヤ加硫機１の全高さ方向の寸法を支配することになる。
【００３４】
そこで、タイロッド８Ａ，８Ｂを、図２に示されるように、長さ方向位置において上下に少なくともタイロッド（Ａ）２０とタイロッド（Ｂ）２１とに分割し、それを着脱自在に連結して一体化可能な構成としている。つまり、本実施形態においては、タイロッド８Ａ，８Ｂは、ロック装置１３Ａ，１３Ｂが係合する括れ部１２Ａ，１２Ｂを含み、タイヤ加硫時に加圧反力を分担する部分、すなわちタイロッド（Ａ）２０と、その上方部に連結され、ボルスタプレート９Ａ，９Ｂおよび上金型等が昇降する時のガイド機能のみを分担する部分、すなわちタイロッド（Ｂ）２１との間で上下方向に少なくとも２分割された構成とされている。
【００３５】
この２分割されたタイロッド（Ａ）２０およびタイロッド（Ｂ）２１は、その一方側、本実施形態ではタイロッド（Ａ）２０側の端部に設けられている凹部２２と、他方側、本実施形態ではタイロッド（Ｂ）２１側の端部に設けられている凸部２３とが嵌合（インロー結合）されることによって、一体化されるように構成されている。
【００３６】
また、上記嵌合部には、図２（Ｂ）に示されるように、タイロッド（Ａ）２０側の凹部２２周りに等間隔で複数（６個）の締結用穴２４が設けられる一方、タイロッド（Ａ）２１側の端部外周に、図２（Ｃ）に示されるように、切欠き部２５によって貫通穴２６付きの座面２７が等間隔で複数箇所（６箇所）に形成されることにより、ボルト等の締結部品２８を介してタイロッド（Ａ）２０とタイロッド（Ｂ）２１とが一体に締結されるように構成されている。なお、図２（Ｄ），（Ｅ）には、工具Ｒを介してボルト等の締結部品２８を締結し、タイロッド（Ａ）２０とタイロッド（Ｂ）２１とを連結している状態が示されている。
【００３７】
さらに、タイロッド（Ａ）２０およびタイロッド（Ｂ）２１は、タイヤ加硫時の加圧反力を分担するタイロッド（Ａ）２０側の外径をＤ１、ボルスタプレート９Ａ，９Ｂおよび上金型が昇降時のガイド機能のみを分担するタイロッド（Ｂ）２１側の外径をＤ２としたとき、各々の外径寸法公差および凹部２２と凸部２３による公差等を考慮した上で連結時に、Ｄ１＞Ｄ２を満たすように設定されている。
【００３８】
斯くして、本実施形態によれば、以下の作用効果を奏する。
タイロッド（Ａ）２０およびタイロッド（Ｂ）２１は、凹部２２と、凸部２３とが嵌合されるとともに、締結用穴２４と座面２７間がボルト等の締結部品２８を介して締結されることにより一体化され、１本の長尺のタイロッド８Ａ，８Ｂとしてタイヤ加硫機１に組み込まれる。そして、このタイロッド８Ａ，８Ｂは、ボルスタプレート９Ａ，９Ｂおよび上金型が昇降シリンダ１１Ａ，１１Ｂを介して上下方向に昇降される際、そのガイドとして機能するとともに、タイヤ加硫時、ボルスタプレート９Ａ，９Ｂおよび上金型がロック装置１３Ａ，１３Ｂを介して括れ部１２Ａ，１２Ｂにロックされたとき、加圧反力を分担するように機能する。なお、タイヤの加硫方法自体は公知故、ここでの説明は省略する。
【００３９】
長尺のタイロッド８Ａ，８Ｂが、ベースプレート２上に組み込まれることにより、タイヤ加硫機１の上下方向寸法（全高さ方向寸法）が、非常に高くなることがある。工場で最終組立てしたタイヤ加硫機１をユーザー側に納める場合、国内輸送あるいは輸出梱包する必要があるが、加硫機１の全高さ方向寸法が高いと、国内輸送あるいは輸出梱包するに当たって、その制限寸法を超えてしまうことがある。然るに、本実施形態においては、タイロッド８Ａ，８Ｂが、その長さ方向位置で上下に少なくとも２分割以上、すなわちタイロッド（Ａ）２０とタイロッド（Ｂ）２１とに分割可能とされている。
【００４０】
このため、加硫機１の全高さが、国内輸送や輸出梱包の制限寸法を超えてしまうような場合であっても、ボルスタプレート９Ａ，９Ｂおよび上金型を、タイロッド８Ａ，８Ｂの下方部分に当たるタイロッド（Ａ）２０側の括れ部１２Ａにロック装置１３Ａ，１３Ｂを介して型閉め位置にロックした上で、タイロッド８Ａ，８Ｂの上方部分に当たるタイロッド（Ｂ）２１のみを取り外すだけの簡易な処置によって、タイロッド（Ｂ）２１の寸法相当分だけ、加硫機１の高さ方向寸法を低くすることができ、簡単にかかる制限寸法をクリアし、輸送・梱包を可能ならしめることができる。
【００４１】
従って、上記制限寸法を超えるような加硫機１の輸送あるいは梱包に際しても、その主要部分であるタイロッド８Ａ，８Ｂ、ベースプレート２、ボトムプレート４Ａ，４Ｂおよびボルスタプレート９Ａ，９Ｂ等を解体することなく、輸送あるいは梱包することが可能となる。また、搬送先での再組立てや調整作業が不要となるため、それに要する費用等を省くことができるとともに、高さに制限がある建屋等に対する加硫機１の搬入をも容易化することができる。更には、分割されたタイロッド（Ａ）２０とタイロッド（Ｂ）２１の個々の長さが短くなることから、それぞれの加工を容易化することができる。
【００４２】
また、少なくとも２分割されるタイロッド（Ａ）２０とタイロッド（Ｂ）２１の分割位置が、タイヤ加硫時の加圧反力を分担する部分、すなわちタイロッド（Ａ）２０と、ボルスタプレート９Ａ，９Ｂおよび上金型等が昇降する時のガイド機能のみを分担する部分、すなわちタイロッド（Ｂ）２１の間とされている。このため、タイロッド８Ａ，８Ｂを長さ方向位置で上下に分割したとしても、加硫時の加圧反力を分担する部分の強度に対して全く影響を与えることはなく、タイロッド８Ａ，８Ｂとして必要な強度を確保することができ、従って、分割構造のタイロッド８Ａ，８Ｂでありながら、必要な強度を十分に確保し、タイヤ加硫時の精度を維持することができる。
【００４３】
さらに、少なくとも２分割されたタイロッド（Ａ）２０とタイロッド（Ｂ）２１とが、タイロッド（Ａ）２０側に設けられている凹部２２と、タイロッド（Ｂ）２１側に設けられている凸部２３とを介して互いに嵌合されているため、分割されたタイロッド（Ａ）２０およびタイロッド（Ｂ）２１を連結して一体化する際、その芯だしおよび強度を容易に再現することができる。従って、タイロッド８Ａ，８Ｂ上をスライドして昇降される昇降ガイド部１０Ａ，１０Ｂを円滑にガイドすることができる。
【００４４】
また、上記により嵌合された部分が、タイロッド（Ａ）２０側に設けられている締結用穴２４と、タイロッド（Ｂ）２１側に設けた切欠き部２５により形成されている座面２７とを介して互いにボルト等の締結部品２８で締め付け固定されているため、少なくとも２分割されたタイロッド（Ａ）２０およびタイロッド（Ｂ）２１を互いに嵌合した上で、ボルト等の締結部品２８を介して強固に連結することができる。しかも、ボルト等の締結部品２８は、切欠き部２５により形成された座面２７にて締結されることから、ボルト等の締結部品２８が昇降ガイド部１０Ａ，１０Ｂ等の昇降を阻害することもない。従って、タイロッド８Ａ，８Ｂとして必要な強度を十分確保することができるとともに、昇降ガイド部１０Ａ，１０Ｂを円滑にガイドすることができる。
【００４５】
さらに、本実施形態においては、少なくとも２分割可能とされたタイロッド８Ａ，８Ｂが、タイヤ加硫時の加圧反力を分担するタイロッド（Ａ）２０側の外径をＤ１、ボルスタプレート９Ａ，９Ｂおよび上金型が昇降時のガイド機能のみを分担するタイロッド（Ｂ）２１側の外径をＤ２としたとき、互いの連結時において、Ｄ１＞Ｄ２とされている。このため、分割されたタイロッド（Ａ）２０およびタイロッド（Ｂ）２１を連結して１本化したとき、常に加圧反力を分担するタイロッド（Ａ）２０側の外径Ｄ１内にガイド機能のみを分担するタイロッド（Ｂ）２１側の外径Ｄ２が納まることになる。従って、分割されたタイロッド（Ａ）２０とタイロッド（Ｂ）２１とを一体化した上で同時加工することによって、芯だし調整する等の作業を不要化し、加工を容易化することができる。
【００４６】
［第２実施形態］
次に、本発明の第２実施形態について、図３を用いて説明する。
本実施形態は、上記した第１実施形態に対して、嵌合部の締結構造が異なっている。その他の点については、第１実施形態と同様であるので説明は省略する。
本実施形態においては、図３（Ａ），（Ｂ）に示されるように、嵌合部を構成しているタイロッド（Ａ）２０側の凹部２２およびタイロッド（Ｂ）２１側の凸部２３の先端に、互いに螺合される雌ネジ２９および雄ネジ３０を設け、タイロッド（Ａ）２０とタイロッド（Ｂ）２１とが、嵌合されるとともに、雌ネジ２９および雄ネジ３０を介してネジ締結されるように構成されている。
【００４７】
このように、嵌合部を、その凹部２２および凸部２３の先端に設けられている雌ネジ２９および雄ネジ３０を介して互いにネジ締結することによって、少なくとも２分割されたタイロッド（Ａ）２０およびタイロッド（Ｂ）２１を、互いに嵌合した上で強固にネジ締結することができる。しかも、そのネジ締結部が分割されたタイロッド２０，２１の内部に位置されることから、昇降ガイド部１０Ａ，１０Ｂ等の昇降に及ぼす影響を皆無とすることができる。従って、タイロッド８Ａ，８Ｂとして必要な強度を十分確保することができるとともに、昇降ガイド部１０Ａ，１０Ｂを円滑にガイドすることができる。
【００４８】
［第３実施形態］
次に、本発明の第３実施形態について、図４を用いて説明する。
本実施形態は、上記した第１および第２実施形態に対して、嵌合部を構成する凹部２２および凸部２３の結合面の形状が異なっている。その他の点については、第１および第２実施形態と同様であるので説明は省略する。
本実施形態では、図４（Ａ），（Ｂ）に示されるように、嵌合されるタイロッド（Ａ）２０側の凹部２２およびタイロッド（Ｂ）２１側の凸部２３の結合面を、それぞれテーパー面３１，３２とするとともに、凹部２２および凸部２３の先端に、互いに螺合される雌ネジ２９および雄ネジ３０を設けることにより、タイロッド（Ａ）２０とタイロッド（Ｂ）２１とが、テーパー面３１，３２で嵌合されるとともに、雌ネジ２９および雄ネジ３０を介してネジ締結されるように構成されている。
【００４９】
このように、嵌合部の凹部２２および凸部２３の結合面がテーパー面３１，３２とされているため、少なくとも２分割されたタイロッド（Ａ）２０およびタイロッド（Ｂ）２１を互いに嵌合する際の芯だし精度を高めることができ、従って、一体物のタイロッドと遜色のない精度を確保し、昇降ガイド部１０Ａ，１０Ｂを円滑にガイドすることができる。しかも、タイロッド（Ａ）２０およびタイロッド（Ｂ）２１を、雌ネジ２９および雄ネジ３０を介して互いにネジ締結することにより、強固に連結することができる。
【００５０】
なお、本発明は、上記実施形態にかかる発明に限定されるものではなく、その要旨を逸脱しない範囲において、適宜変形が可能である。例えば、上記実施形態では、タイロッド８Ａ，８Ｂを上下に少なくとも２分割にしているが、本発明においては、３分割以上に分割することを妨げるものではない。また、２分割されたタイロッド（Ａ）２０およびタイロッド（Ｂ）２１を互いに嵌合によって連結するため、タイロッド（Ａ）２０側に凹部２２、タイロッド（Ｂ）２１側に凸部２３を設けた構成としているが、タイロッド（Ａ）２０側に凸部、タイロッド（Ｂ）２１側に凹部を設けた構成としてもよい。
【００５１】
さらに、上記第３実施形態では、第２実施形態における嵌合部の凹部２２および凸部２３の結合面をテーパー面３１，３２とした実施形態について説明したが、第１実施形態における嵌合部の凹部２２および凸部２３の結合面をテーパー面とした構成としてもよいことはもちろんである。この場合、凹部２２および凸部２３の先端の雌ネジ２９、雄ネジ３０は不要であることは云うまでもない。
【符号の説明】
【００５２】
１  タイヤ加硫機
２  ベースプレート
８Ａ，８Ｂ  タイロッド
９Ａ，９Ｂ  ボルスタプレート
２０  タイロッド（Ａ）
２１  タイロッド（Ｂ）
２２  凹部
２３  凸部
２４  締結用穴
２５  切欠き部
２６  貫通穴
２７  座面
２８  ボルト等の締結部品
２９  雌ネジ
３０  雄ネジ
３１，３２  テーパー面
【図１】
2012176541.tif 000003
【図２】
2012176541.tif 000004
【図３】
2012176541.tif 000005
【図４】
2012176541.tif 000006
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
ベースプレートから上方に延長され、タイヤ加硫時、ボルスタプレートおよび上金型にかかる加圧反力を受けるとともに、上金型開閉時に前記ボルスタプレートおよび前記上金型の昇降をガイドするタイロッドを備えているタイヤ加硫機において、
前記タイロッドは、その長さ方向位置で上下に少なくとも２分割以上に分割可能な構成とされ、その分割位置は、タイヤ加硫時の前記加圧反力を分担する部分と、前記ボルスタプレートおよび前記上金型等が昇降する時のガイド機能のみを分担する部分との間とされていることを特徴とするタイヤ加硫機。
【請求項２】
少なくとも２分割以上に分割された前記タイロッド（Ａ）およびタイロッド（Ｂ）は、互いに嵌合されていることを特徴とする請求項１に記載のタイヤ加硫機。
【請求項３】
前記嵌合部は、前記タイロッド（Ａ）またはタイロッド（Ｂ）のいずれか一方の端部外周に切欠き部を設けて形成された座面を介して互いにボルト等の締結部品により締結されていることを特徴とする請求項２に記載のタイヤ加硫機。
【請求項４】
前記嵌合部は、その凹部および凸部の先端に設けられた雌ネジおよび雄ネジを介して互いにネジ締結されていることを特徴とする請求項２に記載のタイヤ加硫機。
【請求項５】
前記嵌合部の凸部および凹部は、それぞれ結合面がテーパー面とされていることを特徴とする請求項２ないし４のいずれかに記載のタイヤ加硫機。
【請求項６】
少なくとも２分割以上に分割された前記タイロッドは、タイヤ加硫時の前記加圧反力を分担するタイロッド側の外径をＤ１、前記ボルスタプレートおよび前記上金型が昇降時の前記ガイド機能のみを分担するタイロッド側の外径をＤ２としたとき、互いの連結時において、Ｄ１＞Ｄ２とされていることを特徴とする請求項１ないし５のいずれかに記載のタイヤ加硫機。
【請求項７】
請求項１ないし６のいずれかに記載のタイヤ加硫機を輸送または梱包するタイヤ加硫機の輸送・梱包方法において、
前記ボルスタプレートおよび前記上金型等を上金型全閉位置となし、少なくとも上下に２分割以上に分割された前記タイロッドの上方部分のみを取り外した状態として、輸送または梱包することを特徴とするタイヤ加硫機の輸送・梱包方法。
【手続補正２】
【補正対象書類名】明細書
【補正対象項目名】全文
【補正方法】変更
【補正の内容】
【発明の詳細な説明】
【技術分野】
【０００１】
本発明は、タイロッドを介して、タイヤ加硫時の加圧反力を受けるとともに、ボルスタプレートおよび上金型の昇降をガイドするタイヤ加硫機およびその輸送・梱包方法に関するものである。
【背景技術】
【０００２】
生タイヤ（グリーンタイヤ）を加硫して製品タイヤとするタイヤ加硫機において、ベースプレートから上方に延設され、タイヤ加硫時に、ボルスタプレートおよび上金型にかかる加圧反力を分担するとともに、上金型開閉時に、ボルスタプレートおよび上金型の昇降をガイドする一対のタイロッド（コラム）を備えた、コラム型と称されているタイヤ加硫機が知られている（例えば、特許文献１参照）。
【０００３】
上記タイロッドは、生タイヤを加硫する時、ボルスタプレートおよび上金型を上金型全閉位置にロックし、タイヤ加硫時の加圧反力を受ける機能を担うため、強度部材とされている。また、加硫が終了し、加硫済みタイヤを取り出す上金型開時に、ボルスタプレートおよび上金型を上金型全開位置まで上昇させるガイドを兼ねていることから、そのストロークに見合った長さを持つ長尺のロッドとされている。
【先行技術文献】
【特許文献】
【０００４】
【特許文献１】特開２００８−２２１５５４号公報
【発明の概要】
【発明が解決しようとする課題】
【０００５】
上記のようなタイヤ加硫機において、一対のタイロッドは、それぞれ長尺の強度部材とされた１本もののロッドとされていることから、タイヤ加硫機の大きさによっては、ベースプレート上にタイロッドを立設した最終組み立て状態において、加硫機全体の上下方向寸法（全高さ方向寸法）が、非常に高くなってしまう場合がある。
【０００６】
このため、工場で折角組み立て調整しても、加硫機の全高さ方向寸法が、国内輸送あるいは輸出梱包の制限寸法を超えてしまい、そのままでは出荷できないことがあった。このような場合、タイヤ加硫機の主要部分であるタイロッド、ベースプレート、ボトムプレートおよびボルスタプレート等を解体してタイヤ製造工場に搬送した後、現地において再組立てし、芯だし調整等を行うようにしているが、余計な作業の発生により費用が嵩む等の課題があった。
【０００７】
本発明は、このような事情に鑑みてなされたものであって、加硫機の全高さ方向寸法が国内輸送や輸出梱包の制限寸法を超えるような場合でも、その制限を簡易にクリアして加硫機を輸送・梱包することができるタイヤ加硫機およびその輸送・梱包方法を提供することを目的とする。
【課題を解決するための手段】
【０００８】
上記した課題を解決するために、本発明のタイヤ加硫機およびその輸送・梱包方法は以下の手段を採用する。
すなわち、本発明にかかるタイヤ加硫機は、ベースプレートから上方に延長され、タイヤ加硫時、ボルスタプレートおよび上金型にかかる加圧反力を受けるとともに、上金型開時に前記ボルスタプレートおよび前記上金型の昇降をガイドするタイロッドを備えているタイヤ加硫機において、前記タイロッドは、その長さ方向位置で上下に少なくとも２分割以上に分割可能な構成とされ、その分割位置は、タイヤ加硫時の前記加圧反力を分担する部分と、前記ボルスタプレートおよび前記上金型等が昇降する時のガイド機能のみを分担する部分との間とされていることを特徴とする。
【０００９】
本発明によれば、上下方向に長尺寸法とされているタイロッドが、その長さ方向位置で上下に少なくとも２分割以上に分割可能な構成とされているため、加硫機の上下方向寸法が高く、輸送あるいは梱包するに当たり、国内輸送や輸出梱包の制限寸法を超えてしまうような場合でも、上下に少なくとも２分割以上に分割されているタイロッドの上方部分のみを取り外すことにより、簡単にかかる制限寸法をクリアすることができる。従って、加硫機の輸送・梱包に当たり、タイロッド、ベースプレート、ボトムプレート、ボルスタプレート等を解体することなく、輸送あるいは梱包することが可能となる。また、搬送先での再組立てや調整作業が不要となり、それに要する費用等を省くことができるとともに、高さに制限がある建屋等に対する加硫機の搬入をも容易化することができる。更に、分割されたタイロッドの個々の長さが短くなることから、それぞれの加工を容易化することができる。また、分割されるタイロッドの分割位置が、タイヤ加硫時の加圧反力を分担する部分と、ボルスタプレートおよび上金型等が昇降する時のガイド機能のみを分担する部分の間とされているため、タイロッドを長さ方向位置で上下に分割しても、加硫時の加圧反力を分担する部分の強度に対して全く影響を与えることはなく、タイロッドとして必要な強度を確保することができる。従って、分割構造のタイロッドでありながら、必要な強度を十分に確保し、タイヤ加硫時の精度を維持することができる。
【００１０】
さらに、本発明のタイヤ加硫機は、上述のいずれかのタイヤ加硫機において、少なくとも２分割以上に分割された前記タイロッド（Ａ）およびタイロッド（Ｂ）は、互いに嵌合されていることを特徴とする。
【００１１】
本発明によれば、少なくとも２分割以上に分割されたタイロッド（Ａ）およびタイロッド（Ｂ）が、互いに嵌合されているため、分割されたタイロッド（Ａ）およびタイロッド（Ｂ）を連結して一体化する際、その芯だしおよび強度を容易に再現することができる。従って、タイロッド上をスライドして昇降される昇降ガイド部を円滑にガイドすることができる。
【００１２】
さらに、本発明のタイヤ加硫機は、上記のタイヤ加硫機において、前記嵌合部は、前記タイロッド（Ａ）またはタイロッド（Ｂ）のいずれか一方の端部外周に切欠き部を設けて形成された座面を介して互いにボルト等の締結部品によって結合されていることを特徴とする。
【００１３】
本発明によれば、嵌合部が、タイロッド（Ａ）またはタイロッド（Ｂ）のいずれか一方の端部外周に切欠き部を設けて形成された座面を介して互いにボルト等の締結部品によって結合されているため、分割されたタイロッド（Ａ）およびタイロッド（Ｂ）を互いに嵌合した上で、ボルト等の締結部品を介して強固に連結することができ、しかもボルト等の締結部品は切欠き部により形成された座面にて締結されることから、ボルト等の締結部品が昇降ガイド部等の昇降を阻害することもない。従って、タイロッドとして必要な強度を十分確保することができるとともに、昇降ガイド部を円滑にガイドすることができる。
【００１４】
さらに、本発明のタイヤ加硫機は、上記のタイヤ加硫機において、前記嵌合部は、その凸部および凹部の先端に設けられた雄ネジおよび雌ネジを介して互いにネジ締結されていることを特徴とする。
【００１５】
本発明によれば、嵌合部が、その凸部および凹部の先端に設けられた雄ネジおよび雌ネジを介して互いにネジ締結されているため、分割されたタイロッド（Ａ）およびタイロッド（Ｂ）を互いに嵌合した上で、嵌合される凸部および凹部の先端に設けられている雄ネジおよび雌ネジを介して、互いを強固にネジ締結することができる。しかも、そのネジ締結部がタイロッド内部に位置されることから、昇降ガイド部等の昇降に及ぼす影響を皆無とすることができる。従って、タイロッドとして必要な強度を十分確保することができるとともに、昇降ガイド部を円滑にガイドすることができる。
【００１６】
さらに、本発明のタイヤ加硫機は、上述のいずれかのタイヤ加硫機において、前記嵌合部の凸部および凹部は、それぞれ結合面がテーパー面とされていることを特徴とする。
【００１７】
本発明によれば、嵌合部の凸部および凹部の結合面が、それぞれテーパー面とされているため、分割されたタイロッド（Ａ）およびタイロッド（Ｂ）を互いに嵌合する際の芯だし精度を高めることができる。従って、分割構造のタイロッドでありながら、一体物のタイロッドと遜色のない精度を確保し、昇降ガイド部を円滑にガイドすることができる。
【００１８】
さらに、本発明のタイヤ加硫機は、上述のいずれかのタイヤ加硫機において、少なくとも２分割以上に分割された前記タイロッドは、タイヤ加硫時の前記加圧反力を分担するタイロッド側の外径をＤ１、前記ボルスタプレートおよび前記上金型が昇降時の前記ガイド機能のみを分担するタイロッド側の外径をＤ２としたとき、互いの連結時において、Ｄ１＞Ｄ２とされていることを特徴とする。
【００１９】
本発明によれば、少なくとも２分割以上に分割されたタイロッドが、タイヤ加硫時の加圧反力を分担するタイロッド側の外径をＤ１、ボルスタプレートおよび上金型が昇降時のガイド機能のみを分担するタイロッド側の外径をＤ２としたとき、互いの連結時において、Ｄ１＞Ｄ２とされているため、少なくとも２分割されたタイロッドを連結して１本化したとき、常に加圧反力を分担するタイロッド側の外径内に、ガイド機能のみを分担するタイロッド側の外径が納まるようになる。従って、分割されたタイロッドを一体化した上で同時加工することによって、芯だし調整する等の作業を不要化し、加工を容易化することができる。
【００２０】
さらに、本発明にかかるタイヤ加硫機の輸送・梱包方法は、上述のいずれかのタイヤ加硫機を輸送または梱包するタイヤ加硫機の輸送・梱包方法において、前記ボルスタプレートおよび前記上金型等を上金型全閉位置となし、少なくとも上下に分割された前記タイロッドの上方部分のみを取り外した状態として、輸送または梱包することを特徴とする。
【００２１】
本発明によれば、ボルスタプレートおよび上金型等を上金型全閉位置となし、少なくとも上下に分割されたタイロッドの上方部分のみを取り外した状態として、輸送または梱包することができるため、最終組み立てした状態で加硫機の全高さ方向寸法が、国内輸送や輸出梱包の制限寸法を超えてしまう場合でも、ボルスタプレートおよび上金型等を上金型全閉位置とし、上下に分割されているタイロッドの上方部分のみを取り外すことにより、かかる制限寸法をクリアすることができる。従って、タイロッドの上方部分のみを取り外す簡易な処置によって、加硫機をそのまま輸送または梱包することが可能となり、余計な作業や費用を省くことができる。
【発明の効果】
【００２２】
本発明のタイヤ加硫機によると、加硫機の上下方向寸法が高く、輸送あるいは梱包するに当たり、国内輸送や輸出梱包の制限寸法を超えてしまうような場合でも、上下に少なくとも２分割以上に分割されているタイロッドの上方部分のみを取り外すことによって、簡単にかかる制限寸法をクリアすることができるため、加硫機の輸送・梱包に当たり、タイロッド、ベースプレート、ボトムプレート、ボルスタプレート等を解体することなく、輸送あるいは梱包することが可能となる。また、搬送先での再組立てや調整作業が不要となり、それに要する費用等を省くことができるとともに、高さに制限がある建屋等に対する加硫機の搬入をも容易化することができる。更に、分割されたタイロッドの個々の長さが短くなることから、それぞれの加工を容易化することができる。また、分割位置が加圧反力を分担する部分と、ガイド機能のみを分担する部分の間とされていることから、タイロッドを長さ方向に沿って分割しても、加圧反力を分担する部分の強度に影響を及ぼすことはなく、必要な強度を確保できるため、分割構造のタイロッドでありながら、必要な強度を十分に確保し、タイヤ加硫時の精度を維持することができる。
【００２３】
本発明のタイヤ加硫機の輸送・梱包方法によると、最終組み立てした状態で加硫機の全高さ方向寸法が、国内輸送や輸出梱包の制限寸法を超えてしまう場合でも、ボルスタプレートおよび上金型等を上金型全閉位置とし、上下に分割されているタイロッドの上方部分のみを取り外すことにより、かかる制限寸法をクリアすることができるため、タイロッドの上方部分のみを取り外す簡易な処置によって、加硫機をそのまま輸送または梱包することが可能となり、余計な作業や費用を省くことができる。
【図面の簡単な説明】
【００２４】
【図１】本発明の第１実施形態に係るタイヤ加硫機の正面視図である。
【図２】図１に示すタイヤ加硫機のタイロッドの構成図で、（Ａ）図は、分割した状態の正面視図、（Ｂ）図は、（Ａ）図のＡ−Ａ断面相当図、（Ｃ）図は、（Ａ）図のＢ−Ｂ断面相当図、（Ｄ）図は、分割したタイロッドの連結状態の正面視図、（Ｅ）図は、（Ｄ）図の平面視図である。
【図３】本発明の第２実施形態に係るタイロッドの構成図で、（Ａ）図は、分割した状態の正面視図、（Ｂ）図は、分割したタイロッドの連結状態の正面視図である。
【図４】本発明の第３実施形態に係るタイロッドの構成図で、（Ａ）図は、分割した状態の正面視図、（Ｂ）図は、分割したタイロッドの連結状態の正面視図である。
【発明を実施するための形態】
【００２５】
以下に、本発明にかかる実施形態について、図面を参照して説明する。
［第１実施形態］
以下、本発明の第１実施形態について、図１および図２を用いて説明する。
図１には、本発明の第１実施形態に係るタイヤ加硫機の正面視図が示され、図２には、そのタイロッドの構成図が示されている。
タイヤ加硫機１は、水平方向に配置されるベースプレート２を備えている。このベースプレート２は、タイヤ製造工場のタイヤ加硫機１を据付けるピットＰ内に、複数本の支柱３を介して水平に支持されるようになっている。
【００２６】
ベースプレート２上には、左右一対のタイヤ加硫機構３Ａ，３Ｂが、各々独立して作動可能に設置されている。左右一対のタイヤ加硫機構３Ａ，３Ｂは、同一構成とされているため、以下においては、一方のタイヤ加硫機構３Ａの構成のみを説明し、他方のタイヤ加硫機構３Ｂの構成は、Ｂが添え字された符号のみを付して説明は省略する。
タイヤ加硫機構３Ａは、下金型（図示省略）が取付けられるボトムプレート４Ａを備えており、該ボトムプレート４Ａは、ベースプレート２上に、複数本の昇降ネジ５Ａおよび該昇降ネジ５Ａの上端部に設けられた加圧シリンダ６Ａを介して、高さ調整と型締めができるように、昇降可能に支持されている。
【００２７】
ボトムプレート４Ａの中心部には、生タイヤをシェーピング（整形）および加硫するときに、タイヤの内方に挿入されるブラダと称されるゴム袋の挿入、取出しを操作する中心機構７Ａが組み付けられている。中心機構７Ａは、ベースプレート２を貫通して下方に延長されており、ボトムプレート４Ａと共に昇降可能とされている。
【００２８】
ベースプレート２上には、対角位置に一対のタイロッド（コラムとも称される）８Ａが上方に延長されて立設されている。このタイロッド（コラム）８Ａは、ボルスタプレート９Ａおよび上金型（図示省略）を、上金型全閉位置と上金型全開位置との間において、上下方向に昇降するガイドとなるものであり、また、タイヤ加硫時には、ボルスタプレート９Ａおよび上金型を上金型全閉位置にロックし、それに作用する加圧反力を受けるためのものである。
【００２９】
ボルスタプレート９Ａは、上金型（図示省略）が取付けられるもので、一対のタイロッド８Ａに対して、昇降ガイド部１０Ａを介して上下方向に昇降可能に組み付けられ、ベースプレート２との間に介装されている昇降シリンダ１１Ａを介して昇降されるようになっている。また、ボルスタプレート９Ａの昇降ガイド部１０Ａには、タイロッド８Ａに設けられている括れ部１２Ａに係合し、ボルスタプレート９Ａおよび上金型を上金型全閉位置にロックするロック装置１３Ａが設けられている。
【００３０】
上記タイヤ加硫機構３Ａに対して、タイヤ加硫機１の正面側には、上下の金型間に生タイヤを搬入するためのタイヤローダ機構１４Ａが、上下方向に昇降自在に、かつ水平面内において生タイヤを受け渡しする位置との間を回動自在に設置されている。また、タイヤローダ機構１４Ａの反対側面には、タイヤ加硫機構３Ａで加硫された加硫済みタイヤを金型間から取出し、それをコンベア上に搬出するタイヤアンローダ機構１５Ａが、上下方向に昇降自在で、かつ水平面内においてタイヤを受け渡しする位置との間を回動自在に設置されている。
【００３１】
以上のタイヤ加硫機１において、タイロッド８Ａ，８Ｂ以外は、公知のものである。以下に、本発明の特徴部分であるタイロッド８Ａ，８Ｂの構成について、図２を参照して詳しく説明する。
タイロッド８Ａ，８Ｂは、上記の如く、ボルスタプレート９Ａ，９Ｂおよび上金型（図示省略）が、上金型全閉位置と上金型全開位置との間において上下方向に昇降される際のガイドとなるものであるため、上下方向に長尺のロッドとなり、最終組み立て状態において、タイヤ加硫機１の全高さ方向の寸法を支配することになる。
【００３２】
そこで、タイロッド８Ａ，８Ｂを、図２に示されるように、長さ方向位置において上下に少なくともタイロッド（Ａ）２０とタイロッド（Ｂ）２１とに分割し、それを着脱自在に連結して一体化可能な構成としている。つまり、本実施形態においては、タイロッド８Ａ，８Ｂは、ロック装置１３Ａ，１３Ｂが係合する括れ部１２Ａ，１２Ｂを含み、タイヤ加硫時に加圧反力を分担する部分、すなわちタイロッド（Ａ）２０と、その上方部に連結され、ボルスタプレート９Ａ，９Ｂおよび上金型等が昇降する時のガイド機能のみを分担する部分、すなわちタイロッド（Ｂ）２１との間で上下方向に少なくとも２分割された構成とされている。
【００３３】
この２分割されたタイロッド（Ａ）２０およびタイロッド（Ｂ）２１は、その一方側、本実施形態ではタイロッド（Ａ）２０側の端部に設けられている凹部２２と、他方側、本実施形態ではタイロッド（Ｂ）２１側の端部に設けられている凸部２３とが嵌合（インロー結合）されることによって、一体化されるように構成されている。
【００３４】
また、上記嵌合部には、図２（Ｂ）に示されるように、タイロッド（Ａ）２０側の凹部２２周りに等間隔で複数（６個）の締結用穴２４が設けられる一方、タイロッド（Ａ）２１側の端部外周に、図２（Ｃ）に示されるように、切欠き部２５によって貫通穴２６付きの座面２７が等間隔で複数箇所（６箇所）に形成されることにより、ボルト等の締結部品２８を介してタイロッド（Ａ）２０とタイロッド（Ｂ）２１とが一体に締結されるように構成されている。なお、図２（Ｄ），（Ｅ）には、工具Ｒを介してボルト等の締結部品２８を締結し、タイロッド（Ａ）２０とタイロッド（Ｂ）２１とを連結している状態が示されている。
【００３５】
さらに、タイロッド（Ａ）２０およびタイロッド（Ｂ）２１は、タイヤ加硫時の加圧反力を分担するタイロッド（Ａ）２０側の外径をＤ１、ボルスタプレート９Ａ，９Ｂおよび上金型が昇降時のガイド機能のみを分担するタイロッド（Ｂ）２１側の外径をＤ２としたとき、各々の外径寸法公差および凹部２２と凸部２３による公差等を考慮した上で連結時に、Ｄ１＞Ｄ２を満たすように設定されている。
【００３６】
斯くして、本実施形態によれば、以下の作用効果を奏する。
タイロッド（Ａ）２０およびタイロッド（Ｂ）２１は、凹部２２と、凸部２３とが嵌合されるとともに、締結用穴２４と座面２７間がボルト等の締結部品２８を介して締結されることにより一体化され、１本の長尺のタイロッド８Ａ，８Ｂとしてタイヤ加硫機１に組み込まれる。そして、このタイロッド８Ａ，８Ｂは、ボルスタプレート９Ａ，９Ｂおよび上金型が昇降シリンダ１１Ａ，１１Ｂを介して上下方向に昇降される際、そのガイドとして機能するとともに、タイヤ加硫時、ボルスタプレート９Ａ，９Ｂおよび上金型がロック装置１３Ａ，１３Ｂを介して括れ部１２Ａ，１２Ｂにロックされたとき、加圧反力を分担するように機能する。なお、タイヤの加硫方法自体は公知故、ここでの説明は省略する。
【００３７】
長尺のタイロッド８Ａ，８Ｂが、ベースプレート２上に組み込まれることにより、タイヤ加硫機１の上下方向寸法（全高さ方向寸法）が、非常に高くなることがある。工場で最終組立てしたタイヤ加硫機１をユーザー側に納める場合、国内輸送あるいは輸出梱包する必要があるが、加硫機１の全高さ方向寸法が高いと、国内輸送あるいは輸出梱包するに当たって、その制限寸法を超えてしまうことがある。然るに、本実施形態においては、タイロッド８Ａ，８Ｂが、その長さ方向位置で上下に少なくとも２分割以上、すなわちタイロッド（Ａ）２０とタイロッド（Ｂ）２１とに分割可能とされている。
【００３８】
このため、加硫機１の全高さが、国内輸送や輸出梱包の制限寸法を超えてしまうような場合であっても、ボルスタプレート９Ａ，９Ｂおよび上金型を、タイロッド８Ａ，８Ｂの下方部分に当たるタイロッド（Ａ）２０側の括れ部１２Ａにロック装置１３Ａ，１３Ｂを介して型閉め位置にロックした上で、タイロッド８Ａ，８Ｂの上方部分に当たるタイロッド（Ｂ）２１のみを取り外すだけの簡易な処置によって、タイロッド（Ｂ）２１の寸法相当分だけ、加硫機１の高さ方向寸法を低くすることができ、簡単にかかる制限寸法をクリアし、輸送・梱包を可能ならしめることができる。
【００３９】
従って、上記制限寸法を超えるような加硫機１の輸送あるいは梱包に際しても、その主要部分であるタイロッド８Ａ，８Ｂ、ベースプレート２、ボトムプレート４Ａ，４Ｂおよびボルスタプレート９Ａ，９Ｂ等を解体することなく、輸送あるいは梱包することが可能となる。また、搬送先での再組立てや調整作業が不要となるため、それに要する費用等を省くことができるとともに、高さに制限がある建屋等に対する加硫機１の搬入をも容易化することができる。更には、分割されたタイロッド（Ａ）２０とタイロッド（Ｂ）２１の個々の長さが短くなることから、それぞれの加工を容易化することができる。
【００４０】
また、少なくとも２分割されるタイロッド（Ａ）２０とタイロッド（Ｂ）２１の分割位置が、タイヤ加硫時の加圧反力を分担する部分、すなわちタイロッド（Ａ）２０と、ボルスタプレート９Ａ，９Ｂおよび上金型等が昇降する時のガイド機能のみを分担する部分、すなわちタイロッド（Ｂ）２１の間とされている。このため、タイロッド８Ａ，８Ｂを長さ方向位置で上下に分割したとしても、加硫時の加圧反力を分担する部分の強度に対して全く影響を与えることはなく、タイロッド８Ａ，８Ｂとして必要な強度を確保することができ、従って、分割構造のタイロッド８Ａ，８Ｂでありながら、必要な強度を十分に確保し、タイヤ加硫時の精度を維持することができる。
【００４１】
さらに、少なくとも２分割されたタイロッド（Ａ）２０とタイロッド（Ｂ）２１とが、タイロッド（Ａ）２０側に設けられている凹部２２と、タイロッド（Ｂ）２１側に設けられている凸部２３とを介して互いに嵌合されているため、分割されたタイロッド（Ａ）２０およびタイロッド（Ｂ）２１を連結して一体化する際、その芯だしおよび強度を容易に再現することができる。従って、タイロッド８Ａ，８Ｂ上をスライドして昇降される昇降ガイド部１０Ａ，１０Ｂを円滑にガイドすることができる。
【００４２】
また、上記により嵌合された部分が、タイロッド（Ａ）２０側に設けられている締結用穴２４と、タイロッド（Ｂ）２１側に設けた切欠き部２５により形成されている座面２７とを介して互いにボルト等の締結部品２８で締め付け固定されているため、少なくとも２分割されたタイロッド（Ａ）２０およびタイロッド（Ｂ）２１を互いに嵌合した上で、ボルト等の締結部品２８を介して強固に連結することができる。しかも、ボルト等の締結部品２８は、切欠き部２５により形成された座面２７にて締結されることから、ボルト等の締結部品２８が昇降ガイド部１０Ａ，１０Ｂ等の昇降を阻害することもない。従って、タイロッド８Ａ，８Ｂとして必要な強度を十分確保することができるとともに、昇降ガイド部１０Ａ，１０Ｂを円滑にガイドすることができる。
【００４３】
さらに、本実施形態においては、少なくとも２分割可能とされたタイロッド８Ａ，８Ｂが、タイヤ加硫時の加圧反力を分担するタイロッド（Ａ）２０側の外径をＤ１、ボルスタプレート９Ａ，９Ｂおよび上金型が昇降時のガイド機能のみを分担するタイロッド（Ｂ）２１側の外径をＤ２としたとき、互いの連結時において、Ｄ１＞Ｄ２とされている。このため、分割されたタイロッド（Ａ）２０およびタイロッド（Ｂ）２１を連結して１本化したとき、常に加圧反力を分担するタイロッド（Ａ）２０側の外径Ｄ１内にガイド機能のみを分担するタイロッド（Ｂ）２１側の外径Ｄ２が納まることになる。従って、分割されたタイロッド（Ａ）２０とタイロッド（Ｂ）２１とを一体化した上で同時加工することによって、芯だし調整する等の作業を不要化し、加工を容易化することができる。
【００４４】
［第２実施形態］
次に、本発明の第２実施形態について、図３を用いて説明する。
本実施形態は、上記した第１実施形態に対して、嵌合部の締結構造が異なっている。その他の点については、第１実施形態と同様であるので説明は省略する。
本実施形態においては、図３（Ａ），（Ｂ）に示されるように、嵌合部を構成しているタイロッド（Ａ）２０側の凹部２２およびタイロッド（Ｂ）２１側の凸部２３の先端に、互いに螺合される雌ネジ２９および雄ネジ３０を設け、タイロッド（Ａ）２０とタイロッド（Ｂ）２１とが、嵌合されるとともに、雌ネジ２９および雄ネジ３０を介してネジ締結されるように構成されている。
【００４５】
このように、嵌合部を、その凹部２２および凸部２３の先端に設けられている雌ネジ２９および雄ネジ３０を介して互いにネジ締結することによって、少なくとも２分割されたタイロッド（Ａ）２０およびタイロッド（Ｂ）２１を、互いに嵌合した上で強固にネジ締結することができる。しかも、そのネジ締結部が分割されたタイロッド２０，２１の内部に位置されることから、昇降ガイド部１０Ａ，１０Ｂ等の昇降に及ぼす影響を皆無とすることができる。従って、タイロッド８Ａ，８Ｂとして必要な強度を十分確保することができるとともに、昇降ガイド部１０Ａ，１０Ｂを円滑にガイドすることができる。
【００４６】
［第３実施形態］
次に、本発明の第３実施形態について、図４を用いて説明する。
本実施形態は、上記した第１および第２実施形態に対して、嵌合部を構成する凹部２２および凸部２３の結合面の形状が異なっている。その他の点については、第１および第２実施形態と同様であるので説明は省略する。
本実施形態では、図４（Ａ），（Ｂ）に示されるように、嵌合されるタイロッド（Ａ）２０側の凹部２２およびタイロッド（Ｂ）２１側の凸部２３の結合面を、それぞれテーパー面３１，３２とするとともに、凹部２２および凸部２３の先端に、互いに螺合される雌ネジ２９および雄ネジ３０を設けることにより、タイロッド（Ａ）２０とタイロッド（Ｂ）２１とが、テーパー面３１，３２で嵌合されるとともに、雌ネジ２９および雄ネジ３０を介してネジ締結されるように構成されている。
【００４７】
このように、嵌合部の凹部２２および凸部２３の結合面がテーパー面３１，３２とされているため、少なくとも２分割されたタイロッド（Ａ）２０およびタイロッド（Ｂ）２１を互いに嵌合する際の芯だし精度を高めることができ、従って、一体物のタイロッドと遜色のない精度を確保し、昇降ガイド部１０Ａ，１０Ｂを円滑にガイドすることができる。しかも、タイロッド（Ａ）２０およびタイロッド（Ｂ）２１を、雌ネジ２９および雄ネジ３０を介して互いにネジ締結することにより、強固に連結することができる。
【００４８】
なお、本発明は、上記実施形態にかかる発明に限定されるものではなく、その要旨を逸脱しない範囲において、適宜変形が可能である。例えば、上記実施形態では、タイロッド８Ａ，８Ｂを上下に少なくとも２分割にしているが、本発明においては、３分割以上に分割することを妨げるものではない。また、２分割されたタイロッド（Ａ）２０およびタイロッド（Ｂ）２１を互いに嵌合によって連結するため、タイロッド（Ａ）２０側に凹部２２、タイロッド（Ｂ）２１側に凸部２３を設けた構成としているが、タイロッド（Ａ）２０側に凸部、タイロッド（Ｂ）２１側に凹部を設けた構成としてもよい。
【００４９】
さらに、上記第３実施形態では、第２実施形態における嵌合部の凹部２２および凸部２３の結合面をテーパー面３１，３２とした実施形態について説明したが、第１実施形態における嵌合部の凹部２２および凸部２３の結合面をテーパー面とした構成としてもよいことはもちろんである。この場合、凹部２２および凸部２３の先端の雌ネジ２９、雄ネジ３０は不要であることは云うまでもない。
【符号の説明】
【００５０】
１  タイヤ加硫機
２  ベースプレート
８Ａ，８Ｂ  タイロッド
９Ａ，９Ｂ  ボルスタプレート
２０  タイロッド（Ａ）
２１  タイロッド（Ｂ）
２２  凹部
２３  凸部
２４  締結用穴
２５  切欠き部
２６  貫通穴
２７  座面
２８  ボルト等の締結部品
２９  雌ネジ
３０  雄ネジ
３１，３２  テーパー面
【手続補正書】
【提出日】平成24年1月4日(2012.1.4)
【手続補正１】
【補正対象書類名】明細書
【補正対象項目名】００２２
【補正方法】変更
【補正の内容】
【００２２】
本発明のタイヤ加硫機によると、加硫機の上下方向寸法が高く、輸送あるいは梱包するに当たり、国内輸送や輸出梱包の制限寸法を超えてしまうような場合でも、上下に少なくとも２分割以上に分割されているタイロッドの上方部分のみを取り外すことによって、簡単にかかる制限寸法をクリアすることができるため、加硫機の輸送・梱包に当たり、タイロッド、ベースプレート、ボトムプレート、ボルスタプレート等を解体することなく、輸送あるいは梱包することが可能となる。また、搬送先での再組立てや調整作業が不要となり、それに要する費用等を省くことができるとともに、高さに制限がある建屋等に対する加硫機の搬入をも容易化することができる。更に、分割されたタイロッドの個々の長さが短くなることから、それぞれの加工を容易化することができる。また、分割位置が加圧反力を分担する部分と、ガイド機能のみを分担する部分の間とされていることから、タイロッドをその長さ方向位置で上下に少なくとも２分割以上に分割可能としても、加圧反力を分担する部分の強度に影響を及ぼすことはなく、必要な強度を確保できるため、分割構造のタイロッドでありながら、必要な強度を十分に確保し、タイヤ加硫時の精度を維持することができる。